(57)【特許請求の範囲】
【請求項１】
半導体レーザのレーザ光を光ディスクに照射して、上記光ディスクに情報を記録する情報記録装置であって、
上記半導体レーザのレーザ出力値を任意に設定可能な複数のレーザ出力設定手段と、
複数の上記レーザ出力設定手段から一つの上記レーザ出力設定手段を選択する選択手段と、
上記選択手段で選択された上記レーザ出力設定手段に設定された上記レーザ出力値が入力され、このレーザ出力値に応じて上記半導体レーザを駆動するレーザ駆動手段と、
上記レーザ出力設定手段に上記レーザ出力値を設定すると共に、上記レーザ出力設定手段に対する上記選択手段の選択を制御する制御手段と、
上記レーザ出力設定手段に上記レーザ出力値を設定するタイミングを制御すると共に、上記選択手段が上記レーザ出力設定手段を選択するタイミングを制御するタイミング制御部と
を有し、
上記タイミング制御部は、上記制御手段が上記レーザ出力値を上記レーザ出力設定手段に出力してから所定時間後に、上記レーザ出力設定手段において上記レーザ出力値を設定するための信号を、上記レーザ出力設定手段に出力することを特徴とする情報記録装置。
【請求項２】
請求項１に記載の情報記録装置において、
上記制御手段は、上記選択手段の選択と同期して、上記レーザ出力設定手段に設定された上記レーザ出力値を更新することを特徴とする情報記録装置。
【請求項３】
請求項１に記載の情報記録装置において、
上記制御手段は、上記選択手段の選択と非同期に、上記レーザ出力設定手段に設定された上記レーザ出力値を更新することを特徴とする情報記録装置。
【請求項４】
請求項２または３に記載の情報記録装置において、
上記選択手段が選択していない上記レーザ出力設定手段に設定された上記レーザ出力値を更新することを特徴とする情報記録装置。
【請求項５】
請求項２乃至４のいずれか１つに記載の情報記録装置において、
上記選択手段が選択している上記レーザ出力設定手段に設定された上記レーザ出力値は更新しないことを特徴とする情報記録装置。
【請求項６】
請求項１乃至５のいずれか１つに記載の情報記録装置のレーザ出力制御方法であって、
上記レーザ出力値を３値レベル以上で制御する場合、上記レーザ出力値のレベル数より少ない数の上記レーザ出力設定手段を用いて、上記レーザ出力設定手段に対する上記選択手段の選択を切換えることにより、上記レーザ出力値を変化させることを特徴とする情報記録装置のレーザ出力制御方法。
【請求項７】
請求項６に記載の情報記録装置のレーザ出力制御方法において、
上記選択手段が上記レーザ出力設定手段を選択する前に、上記レーザ出力設定手段に上記レーザ出力値を設定することを特徴とする情報記録装置のレーザ出力制御方法。
【請求項８】
請求項１乃至５のいずれか１つに記載の情報記録装置、または、請求項６または７に記載の情報記録装置のレーザ出力制御方法において、
上記レーザ出力設定手段を２個用いることを特徴とする情報記録装置または情報記録装置のレーザ出力制御方法。
【発明の詳細な説明】
【０００１】
【発明の属する技術分野】
本発明は情報記録装置及びそのレーザ出力制御方法に関する。
【０００２】
【従来の技術】
情報記録再生装置が種々ある中、近年、情報へのアクセス性・データレートの高速性が良いことからディスク記録再生装置の需要が高まっている。このディスク記録再生装置の中でも光ディスク装置は、情報の保存性や記録媒体の携帯性が非常に良く、記録媒体の価格も比較的安価なため、需要が多い。このため、光ディスク装置の大きな市場が期待されている。光ディスク装置の記録媒体である光ディスクの記録方式は、光磁気によるものと相変化によるものとに大きく分けられるが、磁気回路が不要な相変化方式の普及が進みつつある。
【０００３】
相変化方式の光ディスクに情報を記録する時、多くの場合はデジタル信号の“０”または“１”に対応した情報を光ディスクに記録する。例えば、デジタル信号の“１”に対応するマークを光ディスクに形成するという所謂マーク長記録が一般的に行われている。そのマークを形成する場合、レーザ光を光学部品にて集光した後、回転する光ディスクに照射し、光ディスクの相変化膜を熱的に変性させる。このようにして、光ディスクにマークを形成するのであるが、マークを形成する間の時間中、常に、一定出力のレーザ光が出射されている訳ではない。常に、一定出力のレーザ光が出射されていると、マーク形成時の熱制御がうまく行かずにマークが歪んで形成されてしまう。通常、マーク形成時は熱的な制御を行うために、レーザ光を出射する半導体レーザをパルス駆動するという手法が用いられる。この場合、記録に要するレーザ出力は、イレースパワー、ピークパワー及びクーリングパワー等の数種類のパワーレベルで制御され、且つ、それぞれのパワーレベルで組み合わされたレーザパルス列で制御されるのが普通である。
【０００４】
以下、このような複雑なパルスをどのように発生させるかを図３〜図５を用いて説明する。
【０００５】
例えば、図４中の一番上に示すような３値レベルを有するレーザ出力を得たいとする。３値レベルの各々は、図４中のＰｐ（ピークパワー）、Ｐｅ（イレースパワー）及びＰｃ（クーリングパワー）を有するレーザ出力とする。この場合、図３のＰｐパルス列生成部２１、Ｐｅパルス列生成部２２及びＰｃパルス列生成部２３によって、図４中の上から２番目以下に示すように、３種類の出力制御パルスを生成する。つまり、Ｐｐパルス列生成部２１はＰｐパルス（ピークパワー制御用パルス）、Ｐｅパルス列生成部２２はＰｅパルス（イレースパワー制御用パルス）、Ｐｃパルス列生成部２３はＰｃパルス（クーリングパワー制御用パルス）をそれぞれ生成する。そして、これらのＰｐパルス、Ｐｅパルス及びＰｃパルスを、図５の加算部２４で加算する。この加算部２４で加算されたパルス列がレーザ駆動部２５に送られる。そうすると、上記レーザ駆動部２５が半導体レーザ（図示せず）を駆動して、所望のレーザ出カのパルス列が得られる。即ち、従来は、複数のパワーレベルを有するレーザ出力を得るために、複数のパルス列を加算する事で実現している。このような制御方法は、例えば特開平１１−１８５２７５号公報に開示されている。
【０００６】
【発明が解決しようとする課題】
ところが、従来の制御方法を行う光ディスク装置では、複数のレーザ出力値を得るために、レーザ出力値のレベル数と同数のパルス列生成部を持たなければならないので、制御構成が複雑になることから避けられないという問題がある。
【０００７】
また、他の問題を図５を用いて以下に説明する。
【０００８】
例えば、図４で示したようなレーザ出力のパルスを得る場合に、ＰｐパルスとＰｅパルスとの間に時間Ｔａだけタイミング差があるとする。この場合は、生成されるレーザ出力のパルスは図５の一番上の波形となり、この波形は所望のパルス波形に対して歪んだものになっている。即ち、加算するパルス列間のタイミングが少しでもずれると、加算された後のパルス波形が階段状（または回路レスポンスによっては屈曲する等）の波形の歪みが生ずるという問題がある。
【０００９】
歪んだ波形のパルスで記録されたマークは所定の熱変化で形成されないため、高品質なマークが記録できなくなる。或いは再生時のジッタが大きくなり、正確なマークの済み取りが出来なくなる等の不具合が生じる。
【００１０】
また、１００Ｍｂｐｓ上を要求される高連記録時においては、パルス立ち上り時間が１ｎｓ以下が要求され、僅かなタイミング差で生ずるパルス列の歪みが無視できなくなるか、或いは必要なパルス幅が維持できなくなることも考えられ、記録速度を上げることが出来ず書込み速度が制限されることになる。
【００１１】
そこで、本発明の課題は、装置構成を簡単にすることができ、レーザ出力のパルス波形が歪むのを阻止できる情報記録装置及びそのレーザ出力制御方法を提供することにある。
【００１２】
【課題を解決するための手段】
上記課題を解決するため、本発明の情報記録装置は、
半導体レーザのレーザ光を光ディスクに照射して、上記光ディスクに情報を記録する情報記録装置であって、
上記半導体レーザのレーザ出力値を任意に設定可能な複数のレーザ出力設定手段と、
複数の上記レーザ出力設定手段から一つの上記レーザ出力設定手段を選択する選択手段と、
上記選択手段で選択された上記レーザ出力設定手段に設定された上記レーザ出力値が入力され、このレーザ出力値に応じて上記半導体レーザを駆動するレーザ駆動手段と、
上記レーザ出力設定手段に上記レーザ出力値を設定すると共に、上記レーザ出力設定手段に対する上記選択手段の選択を制御する制御手段と、
上記レーザ出力設定手段に上記レーザ出力値を設定するタイミングを制御すると共に、上記選択手段が上記レーザ出力設定手段を選択するタイミングを制御するタイミング制御部と
を有し、
上記タイミング制御部は、上記制御手段が上記レーザ出力値を上記レーザ出力設定手段に出力してから所定時間後に、上記レーザ出力設定手段において上記レーザ出力値を設定するための信号を、上記レーザ出力設定手段に出力することを特徴としている。
【００１３】
上記構成の情報記録装置によれば、上記複数のレーザ出力設定手段のうちの一つを選択手段で選択すると、選択されたレーザ出力設定手段によりレーザ駆動手段にレーザ出力値が入力され、このレーザ出力値に応じてレーザ駆動手段が半導体レーザを駆動する。そして、上記レーザ出力設定手段に対する選択手段の選択を切換えると、半導体レーザのレーザ出力値が変化する。この場合、上記レーザ出力設定手段の数がレーザ出力値のレベル数に比べて少なくても、レーザ出力設定手段に設定されたレーザ出力値を更新することにより、所望のレベル数のレーザ出力値が得られる。したがって、上記レーザ出力設定手段の数をレーザ出力値のレベル数よりも少なくして、装置構成を簡単にすることができる。
【００１４】
また、複数のパルス列を加算して複数のレーザ出力値を生成するのではなく、必要なタイミングでレーザ出力設定手段を選択して、所望のレーザ出力値を得るものであるから、加算時に生じるような波形歪みを原理的に排除できる。つまり、上記半導体レーザのレーザ出力のパルス波形が歪むのを阻止できる。
【００１５】
また、上記半導体レーザのレーザ出力のパルス波形が歪むのを阻止できるので、光ディスクに高品質なマークを記録することができる。この場合、上記光ディスクに記録した情報を高品質に再生することができる。
【００１６】
また、上記半導体レーザのレーザ出力のパルス波形が崩れ難いので、高速な書込み速度の要求に応えることができる。
【００１７】
また、上記情報記録装置は装置構成を簡単にできるので、安価に製造することができる。
【００１８】
【００１９】
また、上記レーザ出力設定手段に所望のレーザ出力値を設定した後、選択手段がそのレーザ出力設定手段を選択するように、レーザ出力設定手段および選択手段を制御手段で制御することにより、半導体レーザのレーザ出力値を確実に所望値にすることができる。
【００２０】
一実施形態の情報記録装置は、上記制御手段は、上記選択手段の選択と同期して、上記レーザ出力設定手段に設定された上記レーザ出力値を更新する。
【００２１】
上記実施形態の情報記録装置によれば、例えば、選択手段の選択と同時に、レーザ出力設定手段に設定されたレーザ出力値を制御手段で更新する。この場合、上記選択手段の選択の切換えと同時に、レーザ出力設定手段のレーザ出力値を更新するので、レーザ出力値を更新するための制御を簡単にすることができる。
【００２２】
一実施形態の情報記録装置は、上記制御手段は、上記選択手段の選択と非同期に、上記レーザ出力設定手段に設定された上記レーザ出力値を更新する。
【００２３】
上記実施形態の情報記録装置によれば、例えば、上記選択手段による選択が解除されたレーザ出力設定手段が、再び選択手段に選択されるまでに、そのレーザ出力設定手段に設定されたレーザ出力値を制御手段で更新する。この場合、上記レーザ出力設定手段が再び選択手段に選択されるまでに、そのレーザ出力設定手段のレーザ出力値を更新すれば良いので、レーザ出力設定手段にはシステムの割りにば高速性は要求されず、製造コストを下げることができる。つまり、上記情報記録装置を安価できる。
【００２４】
一実施形態の情報記録装置は、上記選択手段が選択していない上記レーザ出力設定手段に設定された上記レーザ出力値を更新する。
【００２５】
上記実施形態の情報記録装置によれば、上記レーザ出力値の更新は、選択手段が選択していないレーザ出力設定手段に対して行うので、半導体レーザのレーザ出力のパルス波形に悪影響が及ばない。つまり、上記半導体レーザのレーザ出力のパルス波形が歪むのを防止できる。
【００２６】
一実施形態の情報記録装置は、上記選択手段が選択している上記レーザ出力設定手段に設定された上記レーザ出力値は更新しない。
【００２７】
上記実施形態の情報記録装置によれば、上記レーザ出力値の更新は、選択手段が選択しているレーザ出力設定手段に対して行われないので、半導体レーザのレーザ出力のパルス波形に悪影響が及ばない。つまり、上記半導体レーザのレーザ出力のパルス波形が歪むのを防止できる。
【００２８】
また、第２の発明の情報記録装置のレーザ出力制御方法は、上記情報記録装置のレーザ出力制御方法であって、上記レーザ出力値を３値レベル以上で制御する場合、上記レーザ出力値のレベル数より少ない数の上記レーザ出力設定手段を用いて、上記レーザ出力設定手段に対する上記選択手段の選択を切換えることにより、上記レーザ出力値を変化させることを特徴としている。
【００２９】
上記構成の情報記録装置のレーザ出力制御方法によれば、上記レーザ出力設定手段に対する選択手段の選択を切換えることにより、レーザ出力値が変化するので、レーザ出力設定手段に設定されたレーザ出力値を更新することにより、レーザ出力値を制御するレベル数よりレーザ出力設定手段の数が少なくても、半導体レーザのレーザ出力値を３値レベル以上で制御することができる。
【００３０】
一実施形態の情報記録装置のレーザ出力制御方法は、上記選択手段が上記レーザ出力設定手段を選択する前に、上記レーザ出力設定手段に上記レーザ出力値を設定する。
【００３１】
上記実施形態の情報記録装置のレーザ出力制御方法によれば、上記選択手段がレーザ出力設定手段を選択する前に、レーザ出力設定手段にレーザ出力値を設定するので、レーザ出力設定手段が選択手段で選択されると、所望のレーザ出力値がレーザ駆動手段に確実に入力される。
【００３２】
一実施形態の情報記録装置、または、一実施形態の情報記録装置のレーザ出力制御方法は、上記レーザ出力設定手段を２個用いる。
【００３３】
上記実施形態の情報記録装置、または、上記実施形態の情報記録装置のレーザ出力制御方法によれば、上記レーザ出力設定手段の数が２つなので、装置構成を極めて簡単にすることができる。
【００３４】
【発明の実施の形態】
以下、本発明の情報記録装置及びレーザ出力制御方法を図示の実施の形態により詳細に説明する。
【００３５】
図１は本発明の実施の一形態の情報記録装置のブロック図であり、図２は上記情報記録装置のタイミングチャートを示す図である。
【００３６】
上記情報記録装置は、図１に示す半導体レーザ１１のレーザ光を、図示しない光ディスクに照射して、光ディスクに情報を記録するものである。
【００３７】
上記情報記録装置は、半導体レーザ１１のレーザ出力値を任意に設定可能なレーザ出力設定手段の一例としての第１，第２のレーザ出力設定部５，７と、この第１，第２のレーザ出力設定部５，７の一方を選択する選択手段の一例としての出力切換え部９と、この出力切換え部９で選択されたレーザ出力設定部５または第２のレーザ出力設定部７に設定されたレーザ出力値が入力されるレーザ駆動手段の一例としてのレーザ駆動部１０と、第１，第２のレーザ出力設定部５，７にレーザ出力値を設定すると共に、第１，第２のレーザ出力設定部５，７に対する出力切換え部９の選択を制御する制御手段としての制御部とを備えている。この制御部は、レーザ駆動制御部１とタイミング制御部１２とで構成している。
【００３８】
上記レーザ駆動制御部１はレーザ駆動制御の信号を生成する。また、上記レーザ駆動制御部１は、ＣＰＵ（中央演算装置）４、ＲＯＭ（リード・オンリー・メモリ）２及びＲＡＭ（ランダム・アクセス・メモリ）３等を有している。ＣＰＵ４については、レーザ駆動制御部１専用のものである必要は無く、他のホストＣＰＵに兼用させても良い。
【００３９】
上記第１のレーザ出力設定部５は半導体レーザ１１のレーザ出力値をレーザ駆動部１０に送出する。これにより、上記第１のレーザ出力設定部５からのレーザ出力値に対応したパワーで半導体レーザ１１が駆動する。そのレーザ出力値は、ＣＰＵ４から与えられた出カデータを第１のＤ／Ａ部６にてＤ／Ａ変換されたものを使用する。
【００４０】
上記第１のレーザ出力設定部５と同様に、第２のレーザ出力設定部７も半導体レーザ１１のレーザ出力値をレーザ駆動部１０に送出する。これにより、上記第２のレーザ出力設定部７からのレーザ出力値に対応したパワーで半導体レーザ１１が駆動する。そのレーザ出力値は、ＣＰＵ４から与えられた出カデータを第１のＤ／Ａ部６にてＤ／Ａ変換されたものを使用する。
【００４１】
上記出力切換え部９は、第１のレーザ出力設定部５からの出力と、第２のレーザ出力設定部７からの出力とを選択的に切換える部分である。例えば、上記出力切換え部９と第１のレーザ出力設定部５とが接続された場合、第１のレーザ出力設定部５の出力が出力切換え部９を介してレーザ駆動部１０に入力される。尚、上記出力切換え部９が受ける出力切換え信号は、タイミング制御部１２内の出力切換え信号生成部１５から発信される。
【００４２】
上記レーザ駆動部１０は、出力切換え部９から得た信号、つまり第１のレーザ出力設定部５または第２のレーザ出力設定部７からのレーザ出力値に対応したパワーでレーザ１１を駆動する部分である。
【００４３】
上記タイミング制御部１２は、内部に遅延部１３、ワンショットパルス発生部１４及び出力切換え信号生成部１５を有し、ＣＰＵ４から出力される２種類のタイミング信号を元に、第１，第２のレーザ出力設定部５，７と出力切換え部９とに与えるタイミング信号を生成するものである。また、ＣＰＵ４から出力される２種類のタイミング信号の一方が、タイミング制御部１２を介してレーザ駆動部１０に与えられる。尚、上記タイミング制御部１２の詳細動作は後述するものとする。
【００４４】
以下に、図２を用いて実際のレーザ出力制御方法を説明する。ここでは、レーザ出力として、例えば、図２に示すように、レーザ出力値としての（１）〜（６）（図２中では丸数字で記載）のレベルの異なるパルス出力を得たいとする（図２の（ａ））。
【００４５】
まず、レベル（１）のレーザ出力で半導体レーザ１１を駆動するために、ＣＰＵ４からタイミング制御部１２に対してデータタイミング信号（図２の（ｇ）、時間Ｔ０）を出力すると同時に、ＣＰＵ４から第１のレーザ出力設定部５に対してレベル（１）に対応するデータ（１）を出力する（図２の（ｅ）、時間Ｔ０）。例えば、上記データタイミング信号は、第１のレーザ出力設定部５に対してデータを出力した場合、ＬＯレベルの出力となるとし、第２のレーザ出力設定部７に対してデータを出力した場合、ＨＩレベルの出力となるとする。本例では、初期的にレーザＯＦＦ時はデータタイミング信号をＨＩにしておき、最初に第１のレーザ出力設定部５に対してデータを出力するものとする。即ち、今の場合はデータタイミング信号をＨＩからＬＯに反転させる。
【００４６】
上記データタイミング信号は、タイミング制御部１２内の遅延部１３にて時間Ｔｄだけ遅延された後、ワンショットパルス生成部１４に送られる。そして、上記ワンショットパルス生成部１４は、データタイミング信号の立ち下がりエッジからワンショットパルス信号を生成する。このワンショットパルス信号が第１のＤ／Ａ部ＴＲＧ信号となる（図２の（ｈ））。また、上記ワンショットパルス生成部１４では、データタイミング信号の立ち上がりエッジからもワンショットパルス信号を生成する。このワンショットパルス信号は第２のＤ／Ａ部ＴＲＧ信号となる（図２の（ｉ））。要するに、上記ＣＰＵ４が第１のレーザ出力設定部５に対してデータを出力した場合にはＴｄ後に第１のＤ／Ａ部ＴＲＧ信号が生成され、第２のレーザ出力設定部７に対してデータを出力した場合にはＴｄ後に第２のＤ／Ａ部ＴＲＧ信号が生成される。今の場合、上記第１のＤ／Ａ部ＴＲＧ信号が１パルス生成される。尚、時間Ｔｄは、ＣＰＵ４のデータ出力値切換え時間以上であれば良い。
【００４７】
上記第１のレーザ出力設定部５内の第１のＤ／Ａ部６はＤ／Ａ変換器であり、ＣＰＵ４から受け取ったデータに対応したレベルを生成する。そして、上記第１のレーザ出力設定部５が第１のＤ／Ａ部ＴＲＧ信号を受けた時、第１のレーザ出力設定部５はＣＰＵ４からのデータに対応するレベルを外部に出力する。
【００４８】
また、上記第１のレーザ出力設定部５と同様に、第２のレーザ出力設定部７内の第２のＤ／Ａ部８はＤ／Ａ変換器であり、ＣＰＵ４から受け取ったデータに対応したレベルを生成する。そして、上記第２のレーザ出力設定部７が第１のＤ／Ａ部ＴＲＧ信号を受けた時、第２のレーザ出力設定部７はＣＰＵ４からのデータに対応するレベルを外部に出力する。
【００４９】
今の場合、上記第１のレーザ出力設定部５は、第１のＤ／Ａ部ＴＲＧ信号を受けて、データ（１）に対応したレベルを外部に出力する。
【００５０】
上記出力切換え部９は、出力切換え信号生成部１５で生成される出力切換え信号（図２の（ｋ））によって制御される。ここでは、上記出力切換え信号がＨＩレベル時に第１のレーザ出力設定部５の出力が選ばれ、出力切換え信号がＬＯレベル時に第２のレーザ出力設定部７の出力が選ばれる様に、出力切換え部９の選択が切り替わるものとする。
【００５１】
上記出力切換え信号は、ＣＰＵ４から出力される先述のデータタイミング信号（図２の（ｇ））と、レーザ駆動ＥＮＡＢＬＥ信号（図２の（ｊ））から生成される。このレーザ駆動ＥＮＡＢＬＥ信号がＬＯレベルの時（disable 時）はレーザ駆動部１０がアクティブでなく、レーザ出力を強制的にＯＦＦにするものである。逆に、上記レーザ駆動ＥＮＡＢＬＥ信号がＨＩレベルの時（enable 時）はレーザ駆動部１０をアクティブにし、この時にレーザ駆動部１０に入力されているレベルに対応したパワーで半導体レーザ１１が駆動する。上記出力切換え信号は、データタイミング信号とレーザ駆動ＥＮＡＢＬＥ信号との論理積をとったものとする。
【００５２】
次に、レベル（１）のレーザ出力で半導体レーザ１１を駆動したいタイミングＴ１で、ＣＰＵ４はレーザ駆動ＥＮＡＢＬＥ信号をＨＩにすると同時にデータタイミング信号をＨＩに反転させると共に、次の駆動レベルであるレベル（２）に対応するデータ（２）を第２のレーザ出力設定部７に出力する。そうすると、上記出力切換え信号がＨＩになり、出力切換え部９は第１のレーザ出力設定部５の出力をレーザ駆動部１０に送出する。これにより、上記第１のレーザ出力設定部５からレベル（１）に対応した信号がレーザ駆動部１０に入力され、且つ、レーザ駆動ＥＮＡＢＬＥ信号がＨＩレベルなので、半導体レーザ１１はレベル（１）の光パワーで駆動される。
【００５３】
一方、上記第２のレーザ出力設定部７では、データタイミング信号がＨＩになってからＴｄ後にワンショットパルス生成部１４から第２のＤ／Ａ部ＴＲＧ信号のワンショットパルスを受け取り、データ（２）に対応したレベルを出力する。しかし、上記出力切換え部９は第１のレーザ出力設定部５を選んでいるため、第２のレーザ出力設定部７の出力によりレーザ駆動パワーが影響を受けることは無い。つまり、上記半導体レーザ１１のレーザ出力はレベル（１）のままである。
【００５４】
次に、レベル（２）のレーザ出力で半導体レーザ１１を駆動したいタイミングＴ２で、ＣＰＵ４はデータタイミング信号をＬＯに反転させると共に、次の駆動レベルであるレベル（３）に対応するデータ（３）を第１のレーザ出力設定部５に出力する。そうすると、上記出力切換え信号がＬＯになり、出力切換え部９は第２のレーザ出力設定部７の出力をレーザ駆動部１０に送出する。これにより、上記第２のレーザ出力設定部７からレベル（２）に対応した信号がレーザ駆動部１０に入力され、半導体レーザ１１はレベル（２）の光パワーで駆動される。
【００５５】
一方、上記第１のレーザ出力設定部５では、データタイミング信号がＬＯになってからＴｄ後にタイミング制御部１２から第１のＤ／Ａ部ＴＲＧ信号のワンショットパルスを受け取り、データ（３）に対応したレベルを出力する。しかし、上記出力切換え部９は第２のレーザ出力設定部７を選んでいるため、第１のレーザ出力設定部５の出力によりレーザ駆動パワーが影響を受けることは無い。つまり、上記半導体レーザ１１のレーザ出力はレベル（２）のままである。
【００５６】
次に、レベル（３）のレーザ出力で半導体レーザ１１を駆動したいタイミングＴ３で、ＣＰＵ４はデータタイミング信号をＨＩに反転させると共に、次の駆動レベルであるレベル（４）に対応するデータ（４）を第２のレーザ出力設定部７に出力する。そうすると、上記出力切換え信号がＨＩになり、出力切換え部９は第１のレーザ出力設定部５の出力をレーザ駆動部１０に送出する。これにより、上記第１のレーザ出力設定部５からレベル（３）に対応した信号がレーザ駆動部１０に入力され、半導体レーザ１１はレベル（３）の光パワーで駆動される。
【００５７】
一方、上記第２のレーザ出力設定部７では、データタイミング信号がＨＩになってからＴｄ後にタイミング制御部１２から第２のＤＡ部ＴＲＧ信号のワンショットパルスを受け取り、データ（４）に対応したレベルを出力する。しかし、上記出力切換え部９は第１のレーザ出力設定部５を選んでいるため、第２のレーザ出力設定部７の出力によりレーザ駆動パワーが影響を受けることは無い。つまり、上記半導体レーザ１１のレーザ出力はレベル（３）のままである。
【００５８】
以降、レベル（４）、（５）、（６）の出力のさせ方は上記の繰り返しである。つまり、レベル（３）を出力させている間に第２のレーザ出力設定部７をレベル（４）に対応させておき、レベル（４）の出力タイミングＴ４で、データタイミング信号を反転（出力切換え信号が反転）させて半導体レーザ１１をレベル（４）のレーザ出力で駆動させる。次に、レベル（４）を出力させている間に第１のレーザ出力設定部５をレベル（５）に対応させておき、レベル（５）の出力タイミングＴ５で、データタイミング信号を反転（出力切換え信号が反転）させて半導体レーザ１１をレベル（５）のレーザ出力で駆動させる。そして、レベル（５）を出力させている問に第２のレーザ出力設定部７をレベル（６）に対応させておき、レベル（６）の出力タイミングＴ６で、データタイミング信号を反転（出力切換え信号が反転）させて半導体レーザ１１をレベル（６）のレーザ出力で駆動させる。
【００５９】
そして、上記レーザ出力をＯＦＦさせるには、そのタイミングＴ７でレーザ駆動ＥＮＡＢＬＥ信号をＬＯにすれば良い。
【００６０】
以上のように、上記出力切換え部９の切換えと、第１，第２のレーザ出力設定部５，７が出力すべきデータの更新とを行うことにより、レベル（１）〜（６）のパルス列でレーザ駆動することが出来る。
【００６１】
また、上記第１，第２のレーザ出力設定部５，７が２つであるので、装置構成を簡単にすることができる。
【００６２】
また、複数のパルス列を加算して（１）〜（６）のレベルの異なるパルス出力を得ているのではなく、必要なタイミングで第１，第２のレーザ出力設定手部５，７を選択して、（１）〜（６）のレベルの異なるパルス出力を得ているので、半導体レーザ１１のレーザ出力のパルス波形が歪むのを阻止できる。
【００６３】
また、上記半導体レーザ１１のレーザ出力のパルス波形が歪むのを阻止できるので、光ディスクに高品質なマークを記録することができる。この場合、上記光ディスクに記録した情報を高品質に再生することができる。
【００６４】
また、上記半導体レーザ１１のレーザ出力のパルス波形が崩れ難いので、高速な書込み速度の要求に応えることができる。
【００６５】
また、上記情報記録装置は装置構成が簡単であるので、安価に製造することができる。
【００６６】
上記実施の形態では、ＣＰＵ４、ＲＯＭ２、ＲＡＭ３を用いたが、ＲＯＭ２とＲＡＭ３とを内蔵するＣＰＵを用いても良い。
【００６７】
上記ＣＰＵ４の能力に余裕があれば、タイミング制御部１２の機能をＣＰＵ４に担わせても良い。
【００６８】
また、上記ＣＰＵ４にＤ／Ａ機能があれば、第１，第２のレーザ出力設定部５，７の機能をＣＰＵ４に担わせることも可能である。
また、２つの第１，第２のレーザ出力設定部５，７を用いていたが、複数のレーザ出力設定部を用いても良い。この場合、上記レーザ出力設定部の数は、レーザ出力値のレベル数より少なくする。そして、上記出力切換え部９に選択されていないレーザ出力設定部は、出力切換え部９に選択される前に、出力すべきデータが設定されるようにする。
【００６９】
また、上記出力切換え部９の選択の切換えと同期して、第１のレーザ出力設定部５または第２のレーザ出力設定部７が出力すべきデータを更新しても良い。
【００７０】
また、上記出力切換え部９の選択の切換えと非同期に、第１のレーザ出力設定部５または第２のレーザ出力設定部７が出力すべきデータを更新しても良い。
【００７１】
【発明の効果】
以上より明らかなように、本発明の情報記録装置は、上記レーザ出力設定手段に対する選択手段の選択を切換えて、半導体レーザのレーザ出力値を変化させるので、レーザ出力設定手段に設定されたレーザ出力値を更新することにより、レーザ出力設定手段の数がレーザ出力値のレベル数に比べて少なくても、所望のレベル数のレーザ出力値が得られる。したがって、上記レーザ出力設定手段の数をレーザ出力値のレベル数よりも少なくして、装置構成を簡単にすることができる。
【００７２】
また、複数のパルス列を加算して複数のレーザ出力値を生成するのではなく、必要なタイミングでレーザ出力設定手段を選択して、所望のレーザ出力値を得るものであるから、加算時に生じるような波形歪みが発生せず、半導体レーザのレーザ出力のパルス波形が歪むのを阻止できる。
【図面の簡単な説明】
【図１】  図１は本発明の実施の一形態の情報記録装置のブロック図である。
【図２】  図２は上記情報記録装置によるパルス生成を説明するための図である。
【図３】  図３は従来の情報記録装置のブロック図である。
【図４】  図４は上記従来の情報記録装置のタイミングチャートを示す図である。
【図５】  図５は上記従来の情報記録装置により生成されたパルスを示す図である。
【符号の説明】
１    レーザ駆動制御部
５    第１のレーザ出力設定部
７    第２のレーザ出力設定部
９    出力切換え部
１０  レーザ駆動部
１２  タイミング制御部
【図１】
0003841692.tif 000002
【図２】
0003841692.tif 000003
【図３】
0003841692.tif 000004
【図４】
0003841692.tif 000005
【図５】
0003841692.tif 000006